(57)【要約】【課題】計数手段などが悪戯されないようにする。【解決手段】カバー部材１１を架台１に螺子１４により着脱可能に取り付け、カバー部材１１に開設した長穴状の通過穴１２を、電動モータ２が回転する送出ロータ３の分離穴４に落ち込んで送出ロータ３の回転により回転搬送されて送出されるコイン状部材３０の送出口６に対峙させるようにした。【選択図】        図１
2004318595.tif 000002
【特許請求の範囲】
【請求項１】
ホッパに貯留したコイン状部材をホッパの下部側開口に臨んで設置した円板状の回転部材の分離穴に落し込み、回転部材の回転により送出口側に回転搬送して分離穴を通過させ、送出口に至る行程で計数手段により計数して送出口から送出するコイン状部材送出装置において、コイン状部材の送出口にコイン状部材の通過が可能な長穴状の通過穴を備えたカバー部材を設置したことを特徴とするコイン状部材送出装置。
【請求項２】
カバー部材の表面側に通過穴を囲繞する突起が設けられたことを特徴とする請求項１記載のコイン状部材送出装置。
【請求項３】
カバー部材が着脱可能に設けられたことを特徴とする請求項１または２記載のコイン状部材送出装置。
【発明の詳細な説明】
【０００１】
【発明の属する技術分野】
この発明は、貯留してある硬貨、遊技用メダルなどのコイン状部材を１枚づつに分離しながら下側から送出する機構を持つコイン状部材送出装置に関する。
【０００２】
【従来の技術】
この種の装置としては、例えば図５、図６に示したように架台１に取着した電動モータ２が円板状の回転部材である送出ロータ３を回転駆動し、その送出ロータ３に設けた複数個の分離穴４にホッパ５内の図示しないコイン状部材を落とし込んで回転搬送し、送出口６から送出する際に送出通路６Ａに臨んで設けた計数手段７によりその個数を計数し、所要の個数だけコイン状部材を送出するようにしたコイン状部材送出装置１００Ｘ（例えば、特許文献１。）が周知である。
【０００３】
なお、送出ロータ３、ホッパ５、計数手段７などは、金属製の架台１の上に取着された樹脂製のベース部材８Ｘに取着されている。また、符号９は送出ロータ３によって回転搬送される図示しないコイン状部材の進路を規制して送出口６に至る送出通路６Ａを形成するためにベース部材８Ｘに取着された規制部材、符号１０は送出ロータ３の分離穴４に落ち込んで送出ロータ３の回転により回転搬送され、ベース部材８Ｘの上面に出没可能に設けた図示しないピンにより送出通路６Ａに押出された図示しないコイン状部材を弾発力により送出口６の方向に跳ね飛ばして送出口６から勢い良く送出するための振分手段である。
【０００４】
また、図７に示したように、上面が水平に形成された架台１の上部に下部側開口が同一水平面内に形成されたホッパ５が載置され、そのホッパ５の図示しない下部側開口に臨んで、すなわち水平面内で回転可能に設置された図示しない送出ロータにより、ホッパ５内のコイン状部材を１枚づつに分離して送出口６から送出するコイン状部材送出装置１００Ｙ（例えば、特許文献２。）も周知である。
【０００５】
上記従来のコイン状部材送出装置１００Ｘ、１００Ｙにおいては、送出口６が大きく開口していたため、その送出口６から針金などが挿し込まれて計数手段７などに細工が施され、ホッパ５内の図示しないコイン状部材を騙し取られることがある、と云った不都合があった。
【０００６】
【特許文献１】
特開２００２−２０８０５７（図２、図３他）。
【特許文献２】
特開２００２−４５５６１（図１他）。
【０００７】
【発明が解決しようとする課題】
そのため、送出するコイン状部材の個数を計数する計数手段などが悪戯されないようにして、コイン状部材を騙し取られることがないようにする必要があり、その解決が課題となっていた。
【０００８】
【課題を解決するための手段】
本発明は、上記従来技術の課題を解決するため、ホッパに貯留したコイン状部材をホッパの下部側開口に臨んで設置した円板状の回転部材の分離穴に落し込み、回転部材の回転により送出口側に回転搬送して分離穴を通過させ、送出口に至る行程で計数手段により計数して送出口から送出するコイン状部材送出装置において、コイン状部材の送出口にコイン状部材の通過が可能な長穴状の通過穴を備えたカバー部材を設置するようにした第１の構成のコイン状部材送出装置と、
【０００９】
前記第１の構成のコイン状部材送出装置において、カバー部材の表面側に通過穴を囲繞する突起を設けるようにした第２の構成のコイン状部材送出装置と、
【００１０】
前記第１または第２の構成のコイン状部材送出装置において、カバー部材を着脱可能に設けるようにした第３の構成のコイン状部材送出装置と、
を提供するものである。
【００１１】
【発明の実施の形態】
以下、本発明の一実施形態を図１〜図３に基づいて詳細に説明する。なお、理解を容易にするため、これらの図においても前記図５〜図７において説明した部分と同様の機能を有する部分には、同一の符号を付した。
【００１２】
例示した本発明のコイン状部材送出装置１００においては、送出通路６Ａの終端部であるコイン状部材３０の送出口６に板状のカバー部材１１が設置されている。カバー部材１１は螺子１４により架台１に着脱自在に取着され、送出口６に臨む部分に長穴状の通過穴１２が開設されている。なお、通過穴１２は図３に示したように形成され、カバー部材１１の表面側には通過穴１２を囲繞する突起１３が連続的に設けられている。
【００１３】
なお、例示した本発明のコイン状部材送出装置１００においては、前記図５、図６において説明した従来のコイン状部材送出装置１００Ｘが備えていたベース部材８Ｘを備えず、送出ロータ３、計数手段７などは樹脂製の架台１の上部に直接取着されている。
【００１４】
そして、本発明のコイン状部材送出装置１００においては、架台１の上にはリング状部材８が着脱可能に螺子着され、その内側に設けた突条８Ａの上にはホッパ５の下部側開口端の周縁５Ａが当接してホッパ５が位置決めされている。
【００１５】
また、突条８Ａの下側には、電動モータ２の回転に連動して回転する図示しない回転軸に取着された送出ロータ３が内装されて、送出ロータ３がホッパ５の下部側開口に臨んで設置されている。
【００１６】
また、本発明のコイン状部材送出装置１００においては、計数手段７は、一端が支軸１５によって架台１に回動自在に枢着され、他端にカウントローラ１６が回転自在に取着され、そのカウントローラ１６が取着された側が図示しないバネ部材によって送出ロータ３の側に付勢されている回動腕１８が、実線矢印の方向に回動された回数によって送出通路６Ａを通過したコイン状部材３０の個数を計数するように構成されている。
【００１７】
また、振分手段１０を構成している送出ローラ１９は、仮想線で示す位置まで回動可能に回動腕１８の先端部に連結部材２０を介して取り付けられている。また、送出ローラ１９は、図示しないバネ部材によって実線で示す位置まで戻されるように設けられており、仮想線で示した位置から実線で示した位置まで図示しないバネ部材によって戻されるときに、分離穴４に落ち込んで送出ロータ３の回転により回転搬送され、架台１の上面に出没可能に設けた二つの円錐状のピン２１、２２により回転搬送が妨げられて進路変更し、送出通路６Ａの側に押出されたコイン状部材３０を（コイン状部材３０が送出通路６Ａの方向に押出されるときに送出ローラ１９は回動して仮想線で示す位置まで移動）、図示しないバネ部材の弾発力により送出口６の方向に跳ね飛ばして送出口６から勢い良く送出するよう設けられている。
【００１８】
すなわち、本発明のコイン状部材送出装置１００においては、通過穴１２が開設されたカバー部材１１が計数手段７の前方に設置されているので、送出口６の部分に連結してコイン状部材３０を所望位置まで搬送するシュータの出口などから遊技客などが針金などを挿し込んで悪戯しようとしても、悪戯し難い。
【００１９】
しかも、カバー部材１１の表側には通過穴１２を囲繞する突起１３が連続的に設けられ、針金などの先端をカバー部材１１の表面に突き当てて滑らせても通過穴１２に挿し込むことはできないので、極めて悪戯し難い。
【００２０】
また、カバー部材１１は螺子１４によって架台１に着脱可能に取着されているので、カバー部材１１を取り外すことにより、カバー部材１１によって覆われている計数手段７などのメンテナンスが容易になると云った利点がある。
【００２１】
なお、本発明は上記実施形態に限定されるものではないので、特許請求の範囲に記載の趣旨から逸脱しない範囲で各種の変形実施が可能である。
【００２２】
例えば、カバー部材１１には図４に示したようにダミー穴１２Ｘを計数手段７に臨むことができない部位に設けることも可能である。そして、通過穴１２には挿し込まれた針金などを計数手段７側から遠ざかるように案内するための膨らみ１２Ａを設けることも可能である。さらに、上板１１Ａを設け、送出通路６Ａ、計数手段７を上方から覆うようにすることも可能である。
【００２３】
また、カバー部材１１の表面側には凹凸を設け、針金などの先端をカバー部材１１の表面に付き当てた時に滑り難くして、その先端部が通過穴１２に挿し込まれ難くすることも可能である。
【００２４】
また、送出ロータ３を回転して送出するコイン状部材３０の個数を計測する計数手段７としては、上記のようにカウントローラ１６を備えた回動腕１８が回動する回数を機械的に計数するものであっても良いし、送出通路６Ａをコイン状部材３０が通過することによって生じる電気、磁気、光などの変化を計測して計数するものであっても良い。
【００２５】
また、図５、図６において説明したコイン状部材送出装置１００Ｘのときのように、ベース部材８Ｘを備えるコイン状部材送出装置であっても良いし、送出ロータ３を傾斜して設けるコイン状部材送出装置であっても良い。
【００２６】
【発明の効果】
上記したように、本発明はコイン状部材の通過が可能な長穴状の通過穴を備えたカバー部材をコイン状部材の送出口に設置するようにしたコイン状部材送出装置であるので、計数手段などを悪戯されて硬貨、遊技用メダルなどのコイン状部材を騙し取られる懸念が少ない。
【００２７】
特に、カバー部材の表面側に通過穴を囲繞する突起を設けるようにしたコイン状部材送出装置においては、針金などの先端をカバー部材の表面に突き当てて滑らせても、コイン状部材を通過させるために開設した通過穴に挿し込むことはできないので、悪戯を防止する効果が大きい。
【００２８】
また、カバー部材を着脱可能に設けるようにしたコイン状部材送出装置においては、カバー部材を取り外すことにより、カバー部材によって覆われている部分のメンテナンスが容易になると云った利点がある。
【図面の簡単な説明】
【図１】本発明のコイン状部材送出装置の説明図である。
【図２】一部の部材を外して示す本発明のコイン状部材送出装置の説明図である。
【図３】カバー部材の説明図である。
【図４】カバー部材の変形実施を示す説明図である。
【図５】従来技術を示す説明図である。
【図６】従来技術の要部を示す説明図である。
【図７】他の従来技術を示す説明図である。
【符号の説明】
１  架台
２  電動モータ
３  送出ロータ
４  分離穴
５  ホッパ
６  送出口
６Ａ  送出通路
７  計数手段
８  リング状部材
８Ａ  突条
８Ｘ  ベース部材
９  規制部材
１０  振分手段
１１  カバー部材
１１Ａ  上板
１１Ｂ  螺子穴
１２  通過穴
１２Ａ  膨らみ
１２Ｘ  ダミー穴
１３  突起
１４  螺子
１５  支軸
１６  カウントローラ
１７  回転軸
１８  回動腕
１９  送出ローラ
２０  連結部材
２１、２２  ピン
３０  コイン状部材
１００、１００Ｘ、１００Ｙ  コイン状部材送出装置
【図１】
2004318595.tif 000003
【図２】
2004318595.tif 000004
【図３】
2004318595.tif 000005
【図４】
2004318595.tif 000006
【図５】
2004318595.tif 000007
【図６】
2004318595.tif 000008
【図７】
2004318595.tif 000009